(57)【要約】      （修正有）【課題】ナイフスイッチ端部に接触ピンを備え、安定で断熱効果が高いダブルナイフスイッチ式高圧断路器を提供する。【解決手段】刃受を含むダブルナイフスイッチ式高圧断路器であって、刃受１の頂部両側に碍子２が対称で取り付けられ、碍子の頂端に接触子ホルダー３を固着し、接触子ホルダーにロッキングプレート４を設け、刃受の上表面中央部に軸棒５を貫設し、軸棒の側壁にナイフ駆動装置６を取り付け、軸棒の中央部に回転軸７を挿通し、回転軸の刃受の刃受チャンバーに挿通する端部にかさ歯車８を嵌設し、かさ歯車が刃受チャンバー内に取り付けられた駆動軸棒９の一端と互いに噛み合い、ロッキングプレート上にナイフ駆動装置と適合する２個のピン孔１１が設けられ、ピン孔の内壁に円形の定位ピン１３を均一に設け、定位ピンの端部が弾性部材を通じてロッキングプレートの内壁に係着する。【選択図】図１
0003207166.tif 000002
【実用新案登録請求の範囲】
【請求項１】
刃受を含むダブルナイフスイッチ式高圧断路器であって、前記刃受の頂部両側に碍子が対称で取り付けられ、且つ前記碍子の頂端に接触子ホルダーを固着し、前記接触子ホルダーにロッキングプレートを設け、前記刃受の上表面中央部に軸棒を貫設し、且つ前記軸棒の側壁にナイフ駆動装置を取り付け、前記軸棒の中央部に回転軸を挿通し、且つ前記回転軸の前記刃受の刃受チャンバーに挿通する端部にかさ歯車を嵌設し、前記かさ歯車が前記刃受チャンバー内に取り付けられた駆動軸棒の一端と互いに噛み合い、前記ロッキングプレート上に前記ナイフ駆動装置と適合する２個のピン孔が設けられる構成において、前記ピン孔の内壁に円形の定位ピンを均一に設け、前記定位ピンの端部が弾性部材を通じて前記ロッキングプレートの内壁に係着することを特徴とするナイフスイッチ端部に接触ピンを備えたダブルナイフスイッチ式高圧断路器。
【請求項２】
前記ナイフ駆動装置は２個のＳ型ナイフを含み、且つ前記Ｓ型ナイフの端部に接触ピンを固着し、前記Ｓ型ナイフが上から下に順次に前記回転軸上に嵌着され、且つ遠地側の前記Ｓ型ナイフ中心底部に主動歯車を取り付け、近地側の前記Ｓ型ナイフ中心底部頂端に従動歯車を取り付け、且つ前記主動歯車がかさ歯車軸を通じて前記従動歯車と回転可能に連接することを特徴とする請求項１に記載のナイフスイッチ端部に接触ピンを備えたダブルナイフスイッチ式高圧断路器。
【考案の詳細な説明】
【技術分野】
【０００１】
本考案は、強電設備技術分野に関し、特に、ナイフスイッチ端部に接触ピンを備えたダブルナイフスイッチ式高圧断路器に関する。
【背景技術】
【０００２】
断路器は、開路位置にある時、接触子間に規定の要求に適合する絶縁距離と顕著なマークがあり、閉路位置がある時、通常の回路条件で電流を通電することができ、かつ回路の短絡のような異常回路条件でも、規定した時間の通電をすることができる能力をもつ開閉機器である。一般的にシングルナイフ断路器で、シングルナイフ断路器は、回路の接続不良又は開放が極めて容易に生じてしまい、使用しても不安定で、断路効果が悪いため、ダブルナイフ高圧断路器を提供する。
【考案の概要】
【考案が解決しようとする課題】
【０００３】
そこで、本考案は、上記背景技術内で提出された課題を解決するため、ダブルナイフスイッチ式高圧断路器を提供することを目的とする。
【課題を解決するための手段】
【０００４】
上記目的を達成するため、本考案は、刃受を含むダブルナイフスイッチ式高圧断路器という技術方案を提供する。前記刃受の頂部両側に碍子が対称で取り付けられ、且つ碍子の頂端に接触子ホルダーを固着し、前記接触子ホルダーにロッキングプレートを設け、前記刃受の上表面中央部に軸棒を貫設し、且つ軸棒の側壁にナイフ駆動装置を取り付け、前記軸棒の中央部に回転軸を挿通し、且つ回転軸の刃受チャンバーに挿通する端部にかさ歯車を嵌設し、前記かさ歯車が刃受チャンバー内に取り付けられた駆動軸棒の一端と互いに噛み合い、且つ駆動軸棒の他端が刃受外部まで延伸して回転ハンドルと固着する。
【０００５】
前記ロッキングプレート上にナイフ駆動装置とマッチする２個のピン孔が設けられ、前記ナイフ駆動装置は２個のＳ型ナイフを含み、且つＳ型ナイフの端部に接触ピンを固着し、前記Ｓ型ナイフが上から下に順次に回転軸上に嵌着され、且つ遠地側のＳ型ナイフ中心底部に主動歯車を取り付け、近地側のＳ型ナイフ中心底部頂端に従動歯車を取り付け、且つ主動歯車がかさ歯車軸を通じて従動歯車と回転可能に連接する。
【０００６】
前記ピン孔の内壁に円形の定位ピンを均一に設け、前記定位ピンの端部が弾性部材を通じてロッキングプレートの内壁に係着する。
【０００７】
前記Ｓ型ナイフの回転角度範囲は、０〜９０度とする。
【０００８】
前記ナイフ駆動装置は、楕円形の回転盤を包括し、且つ回転盤が回転軸の側壁に嵌着され、前記回転盤の２個の長軸端にいずれもピン軸を通じて互いに平行となる一文字形ナイフを取り付け、且つ一文字形ナイフの両端が各々ロッキングプレート側壁に設けられた接触ブロックとマッチする。
【０００９】
前記回転盤と回転ハンドルの外側壁には、いずれも絶縁保護コーティングが施される。
【００１０】
前記接触子ホルダー上には、少なくとも一対の導体接触子が取り付けられる。
【考案の効果】
【００１１】
従来技術に比べると、本考案は、２個のＳ型ナイフと２個の一文字形ナイフを通じて各々ロッキングプレートの間の接続又は開放を行うことで、電流の導通を安定的に制御でき；断路器の使用のため、従動歯車、主動歯車及びかさ歯車軸の組み合わせを通じてＳ型ナイフの回転方向を逆転させ；回転盤の使用を通じると共に偏心運動原理を利用して一文字形ナイフをマッチする接触ブロックと対応して接続させ、シングルナイフを使用した時に発生する接続不良の現象を効果的に避け；ピン孔に定位ピンを取り付けることで、接触ピンがピン孔から脱落するのを効果的に防止できる。
【図面の簡単な説明】
【００１２】
【図１】本考案の実施例１の構造を示す模式図である。
【図２】本考案の実施例２の構造を示す模式図である。
【図３】本考案の実施例１の上面図である。
【図４】本考案の実施例２の上面図である。
【考案を実施するための形態】
【００１３】
以下、具体的実施例を組み合わせて本考案について更なる詳細な説明を行うが、本考案の保護範囲はこれに限られるものではない。
≪実施例１≫
【００１４】
図１及び図３を参照すると、本願で提供する実施例１、つまり刃受１を含むダブルナイフスイッチ式高圧断路器であって、前記刃受１の頂部両側に碍子２が対称で取り付けられ、且つ碍子２の頂端に接触子ホルダー３を固着し、前記接触子ホルダー３にロッキングプレート４を設け、前記接触子ホルダー３に少なくとも一対の導体接触子を取り付け、前記刃受１の上表面中央部に軸棒５を貫設し、且つ軸棒５の側壁にナイフ駆動装置６を取り付け、前記軸棒５の中央部に回転軸７を挿通し、且つ回転軸７の刃受１チャンバーに挿通する端部にかさ歯車８を嵌設し、前記かさ歯車８が刃受１チャンバー内に取り付けられた駆動軸棒９の一端と互いに噛み合い、且つ駆動軸棒９の他端が刃受１外部まで延伸して回転ハンドル１０と固着し、前記ロッキングプレート４上にナイフ駆動装置とマッチする２個のピン孔１１が設けられ、ピン孔１１に定位ピン１３を取り付けることで、接触ピン６２がピン孔１１から脱落するのを効果的に防止できる。
【００１５】
前記ナイフ駆動装置６は２個のＳ型ナイフ６１を含み、且つＳ型ナイフ６１の端部に接触ピン６２を固着し、前記Ｓ型ナイフ６１が上から下に順次に回転軸５上に嵌着され、且つ遠地側のＳ型ナイフ６１中心底部に主動歯車６３を取り付け、近地側のＳ型ナイフ６１中心底部頂端に従動歯車６４を取り付け、且つ主動歯車６３がかさ歯車軸６５を通じて従動歯車６４と回転可能に連接し、断路器の使用のため、従動歯車６４、主動歯車６３及びかさ歯車軸６５の組み合わせを通じてＳ型ナイフ６１の回転方向を逆転させ、前記Ｓ型ナイフ６１の回転角度範囲は０〜９０度とし、Ｓ型ナイフ６１を通じてロッキングプレート４の間の接続又は開放を行うことで、電流の導通を安定的に制御できる。
【００１６】
前記ピン孔１１の内壁に円形の定位ピン１３を均一に設け、前記定位ピン１３の端部が弾性部材を通じてロッキングプレート４の内壁に係着する。
【００１７】
動作原理：手動で回転ハンドル１０を回すことで駆動軸棒９がかさ歯車８を回転させることで軸棒５を回転させ、更に主動歯車６３、従動歯車６４及びかさ歯車軸６５の組み合わせを通じて、Ｓ型ナイフ６１を各々異なる方向に回転させ、Ｓ型ナイフ６１がロッキングプレート４の箇所まで回転して同一直線時にある時、接触ピン６２をピン孔１１内に係着させ、電路の接続を完成させ、Ｓ型ナイフ６１が水平９０度回転した後、ピン孔１１内に差し込んだ接触ピン６２を抜き出して電路の開放を完成させる。
≪実施例２≫
【００１８】
図２と図４を参照すると、本願で提供する実施例２、つまり刃受１を含むダブルナイフスイッチ式高圧断路器であって、前記刃受１の頂部両側に碍子２が対称で取り付けられ、且つ碍子２の頂端に接触子ホルダー３を固着し、前記接触子ホルダー３に少なくとも一対の導体接触子を取り付け、前記接触子ホルダー３にロッキングプレート４を設け、、前記刃受１の上表面中央部に軸棒５を貫設し、且つ軸棒５の側壁にナイフ駆動装置６を取り付け、前記軸棒５の中央部に回転軸７を挿通し、且つ回転軸７の刃受１チャンバーに挿通する端部にかさ歯車８を嵌設し、前記かさ歯車８が刃受１チャンバー内に取り付けられた駆動軸棒９の一端と互いに噛み合い、且つ駆動軸棒９の他端が刃受１外部まで延伸して回転ハンドル１０と固着し、前記ロッキングプレート４上にナイフ駆動装置６とマッチする２個のピン孔１１が設けられる。
【００１９】
前記ナイフ駆動装置６は、楕円形の回転盤６６を包括し、且つ回転盤６６が回転軸５の側壁に嵌着され、回転盤６６の使用を通じると共に偏心運動原理を利用して一文字形ナイフ６８をマッチする接触ブロック１２と対応して接続させ、シングルナイフを使用した時に発生する接続不良の現象を効果的に避け、前記回転盤６６の２個の長軸端にいずれもピン軸６７を通じて互いに平行となる一文字形ナイフ６８を取り付け、且つ一文字形ナイフ６８の両端が各々ロッキングプレート４側壁に設けられた接触ブロック１２とマッチし、前記回転盤６６と回転ハンドル１０の外側壁には、いずれも絶縁保護コーティングが施され、一文字形ナイフ６８を通じてロッキングプレート４の間の接続又は開放を行うことで、電流の導通を安定的に制御できる。
【００２０】
動作原理：手動で回転ハンドル１０を回すことで駆動軸棒９がかさ歯車８を回転させることで軸棒５を回転させ、従って楕円形の回転盤６６を回転させ、回転盤６６の回転過程中において、一文字形ナイフ６８が接触ブロック１２と互いに接触し、電路の導通を完成させ、回転盤６６が楕円形であるため、回転盤６６を回転させる時、一文字形ナイフ６８と接触ブロック１２を開放させ、電路の開放を完成させる。
【００２１】
以上に述べたのは、あくまでも本考案の具体的実施形態であって、本考案の保護範囲がこれら実施例により何ら限定されるものではなく、当業者は本考案の開示した技術範囲内において本考案の技術方案及び考案構想に基づいて行われる様々な修正、変更及び改変は、いずれも本考案の保護範囲内に含めるものであるのが勿論である。
【符号の説明】
【００２２】
１  刃受
２  碍子
３  接触子ホルダー
４  ロッキングプレート
５  軸棒
６  ナイフ駆動装置
６１  Ｓ型ナイフ
６２  接触ピン
６３  主動歯車
６４  従動歯車
６５  かさ歯車軸
６６  回転盤
６７  ピン軸
６８  一文字形ナイフ
７  回転軸
８  かさ歯車
９  駆動軸棒
１０  回転ハンドル
１１  ピン孔
１２  接触ブロック
１３  定位ピン
【図１】
0003207166.tif 000003
【図２】
0003207166.tif 000004
【図３】
0003207166.tif 000005
【図４】
0003207166.tif 000006